【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
遊技者が遊技媒体を用いて所定の遊技を行う遊技機であって、
遊技者が回転操作可能な回転操作手段と、
遊技の演出を行う演出装置と、
前記回転操作手段の回転操作に応じて、当該回転操作を前記演出装置により行われる遊技の演出に関与させる操作関与演出を実行する操作関与演出実行手段と、を備えたことを特徴とする、遊技機。
【請求項２】
各々を識別可能な複数種類の識別情報の可変表示を行って表示結果を導出表示する可変表示装置と、遊技者が回転操作可能であって所定の操作に応じて操作信号を出力する回転操作手段と、を備え、前記可変表示装置に特定表示結果が導出表示されたときに遊技者にとって有利な特定遊技状態に移行させ、所定の移行条件が成立したときに遊技者にとって有利な特定遊技状態に移行させるとともに該特定遊技状態が終了したのちに通常状態であるときに比べて識別情報の可変表示の表示結果が前記特定表示結果となりやすい特別遊技状態に移行させる遊技機であって、
前記可変表示装置に導出表示される表示結果を前記特定表示結果とするか否かと、前記所定の移行条件を成立させるか否かと、を表示結果の導出表示以前に決定する事前決定手段と、
該事前決定手段により前記表示結果を前記特定表示結果とする旨の決定がなされたとき、当該決定がなされた識別情報の可変表示における所定の有効期間内に前記回転操作手段から前記操作信号が出力されたことを条件に当該可変表示にて前記移行条件が成立したことを報知する報知演出を実行する有操作時報知演出実行手段と、を備えたことを特徴とする遊技機。
【請求項３】
前記有効期間内に前記回転操作手段から操作信号が出力されなかったとき、前記特定遊技状態実行中または前記特定遊技状態終了後に前記報知演出を実行する無操作時報知演出実行手段をさらに備えたことを特徴とする請求項２記載の遊技機。
【請求項４】
前記有効期間における経過時間または有効期間の残り時間を計測する有効時間計測手段と、
該有効時間計測手段による計測結果を表示する有効時間表示手段と、をさらに備えたことを特徴とする請求項２または請求項３に記載の遊技機。
【請求項５】
前記無操作時報知演出実行手段は、前記特定遊技状態中または前記特定遊技状態終了後の所定の有効期間内に前記回転操作手段から前記操作信号が出力されたときに前記報知演出を実行することを特徴とする請求項３記載の遊技機。
【請求項６】
前記無操作時報知演出実行手段は、
前記特定遊技状態における前記有効期間内に前記回転操作手段から前記操作信号が出力されたときに、当該特定遊技状態にて前記報知演出を実行する特定中報知演出実行手段と、
前記特定遊技状態における前記有効期間内に前記回転操作手段から前記操作信号が出力されなかったときに、当該特定遊技状態終了後に前記報知演出を実行する特定後報知演出実行手段と、を含むことを特徴とする請求項３記載の遊技機。
【請求項７】
遊技の進行を制御する遊技制御マイクロコンピュータと、
該遊技制御マイクロコンピュータからの制御信号にもとづいて前記可変表示装置の表示を制御する表示制御マイクロコンピュータと、を備え、
前記回転操作手段は、前記操作にもとづいて前記表示制御マイクロコンピュータに前記操作信号を出力し、
前記遊技制御マイクロコンピュータは、
前記事前決定手段と、
該事前決定手段による決定結果にもとづいて、前記可変表示装置における前記識別情報の可変表示を開始してから表示結果を導出表示するまでの可変表示時間を特定可能な可変表示データを予め定められた複数種類の可変表示データの中から選択する可変表示データ選択手段と、
該可変表示データ選択手段により選択した可変表示データを特定可能な可変表示信号を前記表示制御マイクロコンピュータに送信する可変表示信号送信手段と、を備え、
前記表示制御マイクロコンピュータは、
前記可変表示信号送信手段からの前記可変表示信号にもとづいて前記可変表示装置にて識別情報の可変表示を実行し、当該可変表示データによって特定された可変表示時間が経過したときに識別情報の可変表示の表示結果を導出表示する可変表示実行手段と、
前記有操作時報知演出実行手段と、
前記無操作時報知演出実行手段と、を備え、
前記有操作時報知演出実行手段は、前記回転操作手段から前記操作信号が出力されたときの操作タイミングに応じて前記報知演出の実行期間を調整する実行期間調整手段を備えたことを特徴とする請求項３、請求項５または請求項６記載の遊技機。
【請求項８】
前記表示制御マイクロコンピュータは、前記報知演出を実行するか否か判定する報知演出実行判定手段をさらに備え、
前記可変表示信号送信手段は、前記可変表示信号を送信するときに前記事前決定手段の決定結果を特定可能な判定結果信号を送信する判定結果信号送信手段を備え、
前記報知演出実行判定手段は、前記可変表示信号送信手段からの前記可変表示信号または前記判定結果信号送信手段からの前記判定結果信号にもとづいて前記有操作時報知演出実行手段または前記無操作時報知演出実行手段による前記報知演出を実行するか否かの判定を行うことを特徴とする請求項７記載の遊技機。
【請求項９】
各々を識別可能な複数種類の識別情報の可変表示を行って表示結果を導出表示する可変表示装置と、遊技者が回転操作可能であって所定の操作に応じて操作信号を出力する回転操作手段と、を備え、前記可変表示装置に特定表示結果が導出表示されたときに遊技者にとって有利な特定遊技状態に移行させ、第１移行条件が成立したときに遊技者にとって有利な特定遊技状態に移行させるとともに該特定遊技状態が終了したのちに通常状態であるときに比べて高い割合で識別情報の可変表示の表示結果が前記特定表示結果になる高確率状態に移行させ、第２移行条件が成立したときに遊技者にとって有利な特定遊技状態に移行させるとともに該特定遊技状態が終了したのちに通常状態であるときに比べて識別情報の可変表示を開始してから識別情報の表示結果を導出表示するまでの可変表示時間が短縮される時短状態に制御させる遊技機であって、
前記可変表示装置に導出表示される表示結果を前記特定表示結果とするか否かと、前記第１移行条件を成立させるか否かと、前記第２移行条件を成立させるか否かと、を表示結果の導出表示以前に決定する事前決定手段と、
前記通常状態に対応して設けられ、前記可変表示装置における前記識別情報の可変表示を開始してから表示結果を導出表示するまでの可変表示時間を特定可能な複数種類の可変表示データが設定された通常可変表示データテーブルと、前記高確率状態に対応して設けられ、前記可変表示装置における前記識別情報の可変表示を開始してから表示結果を導出表示するまでの可変表示時間を特定可能な複数種類の可変表示データが設定された高確率可変表示データテーブルと、前記時短状態に対応して設けられ、前記可変表示装置における前記識別情報の可変表示を開始してから表示結果を導出表示するまでの可変表示時間を特定可能な複数種類の可変表示データが設定された時短可変表示データテーブルと、を記憶するデータ記憶手段と、
遊技機の遊技状態に応じて前記データ記憶手段に記憶される可変表示データテーブルのうちいずれか１つを選択する可変表示データテーブル選択手段と、
前記事前決定手段による決定結果にもとづいて、前記可変表示データテーブル選択手段により選択された可変表示データテーブルに設定された複数種類の可変表示データの中からいずれか１つを選択する可変表示データ選択手段と、
該可変表示データ選択手段により選択された可変表示データにもとづいて前記可変表示装置において識別情報の可変表示を実行し、当該可変表示データによって特定される可変表示時間が経過したときに前記事前決定手段の決定結果にもとづく識別情報の可変表示の表示結果を導出表示する可変表示実行手段と、
前記事前決定手段により前記表示結果を前記特定表示結果とする旨の決定がなされたとき、当該決定がなされた識別情報の可変表示にて所定の有効期間内に前記回転操作手段から前記操作信号が出力されたことを条件に当該可変表示にて前記第１移行条件が成立したことを報知する報知演出を実行する有操作時報知演出実行手段と、
前記有効期間内に前記回転操作手段から前記操作信号が出力されなかったとき、前記特定遊技状態実行中または前記特定遊技状態終了後の所定の有効期間内に前記回転操作手段から前記操作信号が出力されたことを条件に前記報知演出を実行する無操作時報知演出実行手段と、を備え、
前記事前決定手段により前記第１移行条件を成立させる旨の決定がなされたとき、前記有効期間内に前記回転操作手段から操作信号が出力されなかったことを条件に、前記可変表示データテーブル選択手段は、前記可変表示装置にて所定回数の識別情報の可変表示が実行されるまで前記時短可変表示データテーブルを選択することを特徴とする遊技機。
【請求項１０】
前記有効期間内に前記回転操作手段から操作信号が出力されなかったとき、前記回転操作手段から前記操作信号が出力されたときと比較して、前記無操作時報知演出実行手段による報知演出が実行される割合が高くなるように設定された選択データを用いて前記無操作時報知演出実行手段による報知演出を実行するか否かを決定する無操作時報知演出決定手段を備えることを特徴とする請求項３、請求項５、請求項６、請求項７、請求項８または請求項９に記載の遊技機。
【請求項１１】
各々を識別可能な複数種類の識別情報の可変表示を行って表示結果を導出表示する可変表示装置と、遊技者が回転操作可能であって所定の操作に応じて操作信号を出力する回転操作手段と、を備え、前記可変表示装置に特定表示結果が導出表示されたときに遊技者にとって有利な特定遊技状態に移行させ、所定の移行条件が成立したときに遊技者にとって有利な特定遊技状態に移行させるとともに該特定遊技状態が終了したのちに通常状態であるときに比べて識別情報の可変表示の表示結果が前記特定表示結果となりやすい特別遊技状態に移行させる遊技機であって、
前記可変表示装置に導出表示される表示結果を前記特定表示結果とするか否かと、前記所定の移行条件を成立させるか否かと、を表示結果の導出表示以前に決定する事前決定手段と、
該事前決定手段により前記表示結果を前記特定表示結果とする旨の決定がなされたとき、当該決定にもとづく特定遊技状態における所定の有効期間内に前記回転操作手段から前記操作信号が出力されたことを条件に当該特定遊技状態にて前記移行条件が成立したことを報知する報知演出を実行する特定中報知演出実行手段と、
前記有効期間内に前記回転操作手段から操作信号が出力されなかったとき、当該特定遊技状態終了後に前記報知演出を実行する特定後報知演出実行手段と、を備えたことを特徴とする遊技機。
【手続補正２】
【補正対象書類名】明細書
【補正対象項目名】００１８
【補正方法】変更
【補正の内容】
【００１８】
（７）  遊技の進行を制御する遊技制御マイクロコンピュータ（例えば、遊技制御用マイクロコンピュータ６０）と、該遊技制御マイクロコンピュータからの制御信号（例えば、演出制御コマンド）にもとづいて前記可変表示装置の表示を制御する表示制御マイクロコンピュータ（例えば、演出制御用マイクロコンピュータ１０１）と、を備え、前記回転操作手段は、前記操作にもとづいて前記表示制御マイクロコンピュータに前記操作信号（例えば、回転操作部８１２の操作信号）を出力し、前記遊技制御マイクロコンピュータは、前記事前決定手段と、該事前決定手段による決定結果にもとづいて、前記可変表示装置における前記識別情報の可変表示を開始してから表示結果を導出表示するまでの可変表示時間（例えば、変動時間）を特定可能な可変表示データ（例えば、変動パターン）を予め定められた複数種類の可変表示データの中から選択する可変表示データ選択手段（例えば、遊技制御用マイクロコンピュータ６０の機能であって、変動パターン設定処理を実行する部分；ステップＳ３０２）と、該可変表示データ選択手段により選択した可変表示データを特定可能な可変表示信号（例えば、変動パターンコマンド）を前記表示制御マイクロコンピュータに送信する可変表示信号送信手段（例えば、遊技制御用マイクロコンピュータ６０の機能であって、飾り図柄コマンド制御処理にて変動パターンコマンドを送信する部分；ステップＳ２７）と、を備え、前記表示制御マイクロコンピュータは、前記可変表示信号送信手段からの前記可変表示信号にもとづいて前記可変表示装置にて識別情報の可変表示を実行し、当該可変表示データによって特定された可変表示時間が経過したときに識別情報の可変表示の表示結果を導出表示する可変表示実行手段（例えば、演出制御用マイクロコンピュータ１０１の機能であって、飾り図柄通常処理のステップＳ８２０で変動パターンコマンドの内容にもとづいて飾り図柄変動パターンを決定し、当該飾り図柄変動パターンにもとづいて飾り図柄変動中処理のステップＳ８４５にて可変表示装置９にて飾り図柄の可変表示を実行し、ステップＳ８４１で変動時間タイマがタイムアウトしたときに飾り図柄の停止図柄を導出表示する部分）と、前記有操作時報知演出実行手段と、前記無操作時報知演出実行手段と、を備え、前記有操作時報知演出実行手段は、前記回転操作手段から前記操作信号が出力されたときの操作タイミングに応じて前記報知演出の実行期間を調整する実行期間調整手段（例えば、演出制御用マイクロコンピュータ１０１の機能であって、図４５に示すアオリ演出の実行期間を調整することにより結果導出演出の終了タイミングを調整する部分；ステップＳ８５１〜ステップＳ８５２）を備えた。
【手続補正３】
【補正対象書類名】明細書
【補正対象項目名】００１９
【補正方法】変更
【補正の内容】
【００１９】
このような構成によれば、回転操作手段から操作信号が出力されたときの操作タイミングに応じて報知演出の実行期間を調整するため、例えば、遊技制御マイクロコンピュータにて計測する可変表示時間の終了タイミングと演出制御マイクロコンピュータによって実行される報知演出の実行期間の終了タイミングとを一致させることができ、遊技制御マイクロコンピュータと表示制御マイクロコンピュータとの時間の認識を一致させることができる。
【手続補正４】
【補正対象書類名】明細書
【補正対象項目名】００２０
【補正方法】変更
【補正の内容】
【００２０】
（８）  前記表示制御マイクロコンピュータは、前記報知演出を実行するか否か判定する報知演出実行判定手段（例えば、演出制御用マイクロコンピュータ１０１の機能であって、再抽選演出を実行するか否か判定する部分）をさらに備え、前記可変表示信号送信手段は、前記可変表示信号を送信するときに前記事前決定手段の決定結果を特定可能な判定結果信号（例えば、判定結果コマンド）を送信する判定結果信号送信手段（例えば、遊技制御用マイクロコンピュータ６０の機能であって、特別図柄停止図柄設定処理のステップＳ１０３，Ｓ１０７，Ｓ１０８にて判定結果コマンドをセットし、飾り図柄コマンド制御処理にて送信する部分；ステップＳ２７）を備え、前記報知演出実行判定手段は、前記可変表示信号送信手段からの前記可変表示信号または前記判定結果信号送信手段からの前記判定結果信号にもとづいて前記有操作時報知演出実行手段または前記無操作時報知演出実行手段による前記報知演出を実行するか否かの判定を行う（例えば、判定結果コマンドとして確変大当り指定コマンドまたは非確変大当り指定コマンドを受信したことにもとづいて再抽選演出を実行するか否かの判定を行う）ことを特徴とする。
【手続補正５】
【補正対象書類名】明細書
【補正対象項目名】００２２
【補正方法】変更
【補正の内容】
【００２２】
（９）  各々を識別可能な複数種類の識別情報（例えば、特別図柄、飾り図柄）の可変表示を行って表示結果を導出表示する可変表示装置（例えば、特別図柄表示器８、可変表示装置９）と、遊技者が回転操作可能であって所定の操作に応じて操作信号を出力する回転操作手段（例えば、回転操作部８１２）と、を備え、前記可変表示装置に特定表示結果が導出表示されたときに遊技者にとって有利な特定遊技状態（例えば、大当り遊技状態）に移行させ、第１移行条件（例えば、確変図柄が導出表示）が成立したときに遊技者にとって有利な特定遊技状態に移行させるとともに該特定遊技状態が終了したのちに通常状態であるときに比べて高い割合で識別情報の可変表示の表示結果が前記特定表示結果になる高確率状態（例えば、確変状態）に移行させ、第２移行条件（例えば、非確変図柄が導出表示若しくは時短大当り図柄が導出表示）が成立したときに遊技者にとって有利な特定遊技状態に移行させるとともに該特定遊技状態が終了したのちに通常状態であるときに比べて識別情報の可変表示を開始してから識別情報の表示結果を導出表示するまでの可変表示時間（例えば、変動時間）が短縮される時短状態（例えば、時短状態）に制御させる遊技機であって、前記可変表示装置に導出表示される表示結果を前記特定表示結果とするか否か（例えば、特別図柄通常処理の大当り判定処理にて大当りとするか否か判定する部分；ステップＳ５６）と、前記第１移行条件を成立させるか否か（例えば、特別図柄停止図柄設定処理にて特別図柄の大当り図柄を決定する部分；ステップＳ１０４〜ステップＳ１０５）と、前記第２移行条件を成立させるか否か（例えば、特別図柄停止図柄設定処理にて特別図柄の大当り図柄を決定する部分；ステップＳ１０４〜ステップＳ１０５）と、を表示結果の導出表示以前に決定する事前決定手段（例えば、遊技制御用マイクロコンピュータ６０の機能であって、特別図柄通常処理の大当り判定処理にて大当りとするか否か判定する部分（ステップＳ５６）と特別図柄停止図柄設定処理にて特別図柄の大当り図柄を決定する部分（ステップＳ１０４〜ステップＳ１０５））と、前記通常状態に対応して設けられ、前記可変表示装置における前記識別情報の可変表示を開始してから表示結果を導出表示するまでの可変表示時間を特定可能な複数種類の可変表示データが設定された通常可変表示データテーブル（例えば、通常状態用変動パターンテーブル（ＴＨ，ＴＲ，ＴＡ））と、前記高確率状態に対応して設けられ、前記可変表示装置における前記識別情報の可変表示を開始してから表示結果を導出表示するまでの可変表示時間を特定可能な複数種類の可変表示データが設定された高確率可変表示データテーブル（例えば、確変状態用変動パターンテーブル（ＫＨ，ＫＲ，ＫＡ））と、前記時短状態に対応して設けられ、前記可変表示装置における前記識別情報の可変表示を開始してから表示結果を導出表示するまでの可変表示時間を特定可能な複数種類の可変表示データが設定された時短可変表示データテーブル（例えば、時短状態用変動パターンテーブル（ＪＨ，ＪＲ，ＪＡ））と、を記憶するデータ記憶手段（例えば、主基板３１に搭載されるＲＯＭ５４）と、遊技機の遊技状態に応じて前���データ記憶手段に記憶される可変表示データテーブルのうちいずれか１つを選択する可変表示データテーブル選択手段（例えば、演出制御用マイクロコンピュータ１０１の機能であって、遊技状態に応じて変動パターンテーブルを選択する部分；ステップＳ８００）と、前記事前決定手段による決定結果にもとづいて、前記可変表示データテーブル選択手段により選択された可変表示データテーブルに設定された複数種類の可変表示データの中からいずれか１つを選択する可変表示データ選択手段（例えば、演出制御用マイクロコンピュータ１０１の機能であって、選択した変動パターンテーブルおよび受信した変動パターンコマンドに応じて変動パターンを決定する部分；ステップＳ８００）と、該可変表示データ選択手段により選択された可変表示データにもとづいて前記可変表示装置において識別情報の可変表示を実行し、当該可変表示データによって特定される可変表示時間が経過したときに前記事前決定手段の決定結果にもとづく識別情報の可変表示の表示結果を導出表示する可変表示実行手段（例えば、演出制御用マイクロコンピュータ１０１の機能であって、飾り図柄通常処理のステップＳ８２０で変動パターンコマンドの内容にもとづいて飾り図柄変動パターンを決定し、当該飾り図柄変動パターンにもとづいて飾り図柄変動中処理のステップＳ８４５にて可変表示装置９にて飾り図柄の可変表示を実行し、ステップＳ８４１で変動時間タイマがタイムアウトしたときに飾り図柄の停止図柄を導出表示する部分）と、前記事前決定手段により前記表示結果を前記特定表示結果とする旨の決定がなされたとき、当該決定がなされた識別情報の可変表示にて所定の有効期間内に前記回転操作手段から前記操作信号が出力されたことを条件に当該可変表示にて前記第１移行条件が成立したことを報知する報知演出（例えば、図３６（Ａ）〜図３６（Ｊ）に示す演出）を実行する有操作時報知演出実行手段（例えば、演出制御用マイクロコンピュータ１０１の機能であって、飾り図柄変動中処理のステップＳ８５０で回転操作部８１２から操作信号が入力されたときにステップＳ８５１で飾り図柄変動パターンに応じた再抽選プロセステーブルを選択し、選択したプロセステーブルに設定されるプロセスデータに従って演出装置（例えば、可変表示装置９、スピーカ２７、ランプ・ＬＥＤ等）を制御する部分；ステップＳ８５２）と、前記有効期間内に前記回転操作手段から前記操作信号が出力されなかったとき、前記特定遊技状態実行中または前記特定遊技状態終了後の所定の有効期間内に前記回転操作手段から前記操作信号が出力されたことを条件に前記報知演出を実行する無操作時報知演出実行手段（例えば、演出制御用マイクロコンピュータ１０１の機能であって、飾り図柄変動中処理のステップＳ８５６で有効期間内に回転操作部８１２から操作信号が入力されなかったときに、ステップＳ８５７で大当り再抽選フラグをセットし、ラウンド中処理のステップＳ９２９またはラウンド後処理のステップＳ９６０で回転操作部８１２から操作信号が入力されたことにもとづいて再抽選大当り操作後演出に応じたプロセステーブルを選択し、選択したプロセステーブルに設定されるプロセスデータに従って演出装置を���御する部分；ステップＳ９３２，Ｓ９６３）と、を備え、前記事前決定手段により前記第１移行条件を成立させる旨の決定がなされたとき、前記有効期間内に前記回転操作手段から操作信号が出力されなかったことを条件に、前記可変表示データテーブル選択手段は、前記可変表示装置にて所定回数の識別情報の可変表示が実行されるまで前記時短可変表示データテーブルを選択する（例えば、大当り遊技状態終了後に実行された再抽選演出にて回転操作部８１２が操作されなかったときに、演出制御用マイクロコンピュータ１０１により時短状態にて使用する変動パターンが設定される変動パターンテーブルを使用する変動パターンテーブルに設定する；ステップＳ８２０）。